(57)【特許請求の範囲】
【請求項１】
夜間時間帯の沸き上げモードとして、貯湯タンク内の湯水の全量沸き上げ又は部分沸き上げを選択し、該夜間時間帯に前記貯湯タンクから取り出した湯水を電気式加熱装置により滅菌温度以上に昇温して該貯湯タンクに戻す貯湯タンクの沸き上げ方法において、
前記部分沸き上げは、算出した一日に必要な湯の熱量に応じて決定される湯量を、前記貯湯タンク内の湯水の一部を残して、該貯湯タンク内に成層するものであり、
沸き上げの停止がＮ日以上続いた際には、沸き上げ停止後、最初に行う前記夜間時間帯の沸き上げを、前記沸き上げモードの選択に関わらず、前記貯湯タンク内の湯水全体を沸き上げて行い、沸き上げの停止がＮ日未満であった際は、沸き上げ停止後、最初に行う前記夜間時間帯の沸き上げを、前記沸き上げモードの選択に従って前記全量沸き上げ又は前記部分沸き上げとすることを特徴とする貯湯タンクの沸き上げ方法。
【請求項２】
請求項１記載の貯湯タンクの沸き上げ方法において、前記Ｎ日は、３〜１０日の範囲であることを特徴とする貯湯タンクの沸き上げ方法。
【請求項３】
請求項１又は２記載の貯湯タンクの沸き上げ方法において、過去の前記貯湯タンクの出湯実績から算出した一日に必要な湯量を基に前記沸き上げモードの選択を行うことを特徴とする貯湯タンクの沸き上げ方法。
【請求項４】
請求項１又は２記載の貯湯タンクの沸き上げ方法において、前記沸き上げモードは、操作盤からの入力操作によって選択されることを特徴とする貯湯タンクの沸き上げ方法。
【請求項５】
貯湯タンクと、前記貯湯タンクから出て該貯湯タンクに戻る湯水を滅菌温度以上に昇温する電気式加熱装置と、夜間時間帯の沸き上げモードとして前記貯湯タンク内の湯水の全量沸き上げ又は部分沸き上げを選択し、該夜間時間帯に前記電気式加熱装置を作動して該貯湯タンクの沸き上げを行わせる制御手段とを備える貯湯式給湯機において、
前記部分沸き上げは、算出した一日に必要な湯の熱量に応じて決定される湯量を、前記貯湯タンク内の湯水の一部を残して、該貯湯タンク内に成層するものであり、前記制御手段は、沸き上げの停止がＮ日以上続いた際、前記電気式加熱装置による沸き上げ停止後の最初の前記夜間時間帯の沸き上げを、前記沸き上げモードの選択に関わらず、前記貯湯タンク内の湯水全体を沸き上げることによって行い、沸き上げの停止がＮ日未満であった際は、沸き上げ停止後、最初に行う前記夜間時間帯の沸き上げを、前記沸き上げモードの選択に従って前記全量沸き上げ又は前記部分沸き上げとすることを特徴とする貯湯式給湯機。
【請求項６】
請求項５記載の貯湯式給湯機において、前記Ｎ日は、３〜１０日の範囲であることを特徴とする貯湯式給湯機。
【請求項７】
請求項５又は６記載の貯湯式給湯機において、前記制御手段は、過去の前記貯湯タンクの出湯実績から一日に必要な湯量を算出し、該一日に必要な湯量を基に前記沸き上げモードの選択を行うことを特徴とする貯湯式給湯機。
【請求項８】
請求項５又は６記載の貯湯式給湯機において、前記制御手段には操作盤が接続され、該制御手段は、該操作盤でなされた入力操作に従って、前記沸き上げモードを選択することを特徴とする貯湯式給湯機。
【発明の詳細な説明】
【技術分野】
【０００１】
本発明は、貯湯タンク内の湯水の沸き上げ方法とその方法を採用した貯湯式給湯機に関する。
【背景技術】
【０００２】
近年、湯水（湯又は水を意味する）を貯留する設備において、長期に亘り湯の入れ替えが無かった場合、レジオネラ菌等の細菌が繁殖する可能性が指摘されている。塩素消毒された水道水が給水される貯湯タンクにおいては、細菌が繁殖する可能性は極めて低いと言えるが、貯湯式の場合、一旦湯を沸かすと水中の残留塩素が飛んでしまうため滅菌効果が無くなる。そのため、細菌の繁殖を防止する機能を設けることは衛生面上有益であり、細菌の繁殖防止機能を備えた貯湯式給湯機の具体例が特許文献１、２に記載されている。
【０００３】
特許文献１、２には、給湯を所定時間以上停止した際に、給湯路を遮断して給湯を禁止した状態で貯湯タンク内の湯水を加熱し所定温度まで昇温させて滅菌処理を行う制御方法が記載されている。
特許文献１、２の方法を採用することにより、使用者には、滅菌処理がなされた後の湯を貯湯タンクから確実に提供することができる。
【先行技術文献】
【特許文献】
【０００４】
【特許文献１】特開２００４−２６３９１２号公報
【特許文献２】特開２００６−２７５３３７号公報
【発明の概要】
【発明が解決しようとする課題】
【０００５】
しかしながら、滅菌処理を行う時間帯は特定されていないので、使用者は給湯路が遮断される時間帯を想定することができないという課題があった。
本発明は、かかる事情に鑑みてなされるもので、特定の時間帯に滅菌処理を行う貯湯タンクの沸き上げ方法及びその方法を採用した貯湯式給湯機を提供することを目的とする。
【課題を解決するための手段】
【０００６】
前記目的に沿う第１の発明に係る貯湯タンクの沸き上げ方法は、夜間時間帯の沸き上げモードとして、貯湯タンク内の湯水の全量沸き上げ又は部分沸き上げを選択し、該夜間時間帯に前記貯湯タンクから取り出した湯水を電気式加熱装置により滅菌温度以上に昇温して該貯湯タンクに戻す貯湯タンクの沸き上げ方法において、前記部分沸き上げは、算出した一日に必要な湯の熱量に応じて決定される湯量を、前記貯湯タンク内の湯水の一部を残して、該貯湯タンク内に成層するものであり、沸き上げの停止がＮ日以上続いた際には、沸き上げ停止後、最初に行う前記夜間時間帯の沸き上げを、前記沸き上げモードの選択に関わらず、前記貯湯タンク内の湯水全体を沸き上げて行い、沸き上げの停止がＮ日未満であった際は、沸き上げ停止後、最初に行う前記夜間時間帯の沸き上げを、前記沸き上げモードの選択に従って前記全量沸き上げ又は前記部分沸き上げとする。
【０００７】
第１の発明に係る貯湯タンクの沸き上げ方法において、前記Ｎ日は、３〜１０日の範囲であるのが好ましい。
【０００８】
第１の発明に係る貯湯タンクの沸き上げ方法において、過去の前記貯湯タンクの出湯実績から算出した一日に必要な湯量を基に前記沸き上げモードの選択を行うのが好ましい。
【０００９】
第１の発明に係る貯湯タンクの沸き上げ方法において、前記沸き上げモードは、操作盤からの入力操作によって選択されるのが好ましい。
【００１０】
前記目的に沿う第２の発明に係る貯湯式給湯機は、貯湯タンクと、前記貯湯タンクから出て該貯湯タンクに戻る湯水を滅菌温度以上に昇温する電気式加熱装置と、夜間時間帯の沸き上げモードとして前記貯湯タンク内の湯水の全量沸き上げ又は部分沸き上げを選択し、該夜間時間帯に前記電気式加熱装置を作動して該貯湯タンクの沸き上げを行わせる制御手段とを備える貯湯式給湯機において、前記部分沸き上げは、算出した一日に必要な湯の熱量に応じて決定される湯量を、前記貯湯タンク内の湯水の一部を残して、該貯湯タンク内に成層するものであり、前記制御手段は、沸き上げの停止がＮ日以上続いた際、前記電気式加熱装置による沸き上げ停止後の最初の前記夜間時間帯の沸き上げを、前記沸き上げモードの選択に関わらず、前記貯湯タンク内の湯水全体を沸き上げることによって行い、沸き上げの停止がＮ日未満であった際は、沸き上げ停止後、最初に行う前記夜間時間帯の沸き上げを、前記沸き上げモードの選択に従って前記全量沸き上げ又は前記部分沸き上げとする。
【００１１】
第２の発明に係る貯湯式給湯機において、前記Ｎ日は、３〜１０日の範囲であるのが好ましい。
【００１２】
第２の発明に係る貯湯式給湯機において、前記制御手段は、過去の前記貯湯タンクの出湯実績から一日に必要な湯量を算出し、該一日に必要な湯量を基に前記沸き上げモードの選択を行うのが好ましい。
【００１３】
第２の発明に係る貯湯式給湯機において、前記制御手段には操作盤が接続され、該制御手段は、該操作盤でなされた入力操作に従って、前記沸き上げモードを選択するのが好ましい。
【発明の効果】
【００１４】
第１の発明に係る貯湯タンクの沸き上げ方法及び第２の発明に係る貯湯式給湯機は、沸き上げの停止がＮ日以上続いた際、沸き上げ停止後、最初に行う夜間時間帯の沸き上げを、沸き上げモードの選択に関わらず、貯湯タンク内の湯水全体を沸き上げて行うので、特定の時間帯に滅菌処理を行うことが可能である。
【００１５】
第１の発明に係る貯湯タンクの沸き上げ方法及び第２の発明に係る貯湯式給湯機において、Ｎ日が３〜１０日の範囲である場合、部分沸き上げによる消費電力抑制の効果を得つつ、細菌の繁殖を確実に排除することが可能である。
【００１６】
第１の発明に係る貯湯タンクの沸き上げ方法及び第２の発明に係る貯湯式給湯機において、過去の貯湯タンクの出湯実績から算出した一日に必要な湯量を基にして沸き上げモードの選択を行う場合、夜間時間帯の沸き上げにより、必要な量の湯を安定的に確保することができ、省エネ性に優れる。
【００１７】
第１の発明に係る貯湯タンクの沸き上げ方法及び第２の発明に係る貯湯式給湯機において、沸き上げモードが操作盤からの入力操作によって選択される場合、使用者は、翌日の予定に応じて確保すべき湯量を入力操作により決定でき、過度な湯量の確保を防止可能であり、省エネ性に優れる。
【図面の簡単な説明】
【００１８】
【図１】本発明の一実施の形態に係る貯湯式給湯機の説明図である。
【図２】制御手段の接続を示すブロック図である。
【図３】沸き上げ方法を決定するフローチャートである。
【発明を実施するための形態】
【００１９】
続いて、添付した図面を参照しつつ、本発明を具体化した実施の形態につき説明し、本発明の理解に供する。
図１、図２に示すように、本発明の一実施の形態に係る貯湯タンクの沸き上げ方法を採用した貯湯式給湯機１０は、貯湯タンク１１と、貯湯タンク１１から出て貯湯タンク１１に戻る湯水を滅菌温度以上に昇温する電気式加熱装置１２と、夜間時間帯に電気式加熱装置１２を作動して貯湯タンク１１の沸き上げを行う制御手段１３とを備えている。以下、詳細に説明する。
【００２０】
貯湯タンク１１は、図１に示すように、下部に給水管１４が接続され、上部に給湯管１５が接続されている。給水管１４には、給水管１４を流れる水道水の温度を計測する温度センサ１６、圧力を所定の値に減圧する減圧弁１７及び水道水が逆流するのを防止する逆止弁１８が設けられ、貯湯タンク１１には、温度センサ１６、減圧弁１７及び逆止弁１８を通過した水道水が流入する。
【００２１】
給湯管１５には、給水管１４が接続された混合弁１９が設けられ、混合弁１９は、貯湯タンク１１から送り出された湯に給水管１４から供給される水道水を混合する。混合弁１９により温度調整がなされた湯は、給湯管１５に接続されている台所のカランや、浴室のシャワー等に供給される。なお、給湯管１５には、混合弁１９の湯の入り側に逆流を防止する逆止弁２０が設けられ、給水管１４には、混合弁１９の水道水の入り側に逆流を防止する逆止弁２１が設けられている。
【００２２】
給湯管１５の混合弁１９の下流側には、給湯管１５を流れる湯の流量を計測する水量センサ２２と混合弁１９で混合された湯の温度を計測する温度センサ２３が設けられている。
貯湯タンク１１には、異なる高さ位置に、貯湯タンク１１内の湯水の温度を計測する温度センサ２４〜２９がそれぞれ設けられている。温度センサ２４〜２９は、図２に示すように、制御手段１３に接続され、制御手段１３には、温度センサ１６、２３、混合弁１９及び水量センサ２２が接続されている。なお、図１では、制御手段１３と温度センサ１６、２３〜２９、混合弁１９及び水量センサ２２等との接続を省略している。
【００２３】
更に、制御手段１３には、図１、図２に示すように、使用者によって入力操作が行われる操作盤３０が接続されている。
制御手段１３は、温度センサ２４〜２９のうち最も高い位置にある温度センサ２４によって、貯湯タンク１１の上部から給湯管１５に送られる湯の温度を検出可能である。
また、制御手段１３は、温度センサ２３による混合弁１９の下流側の湯の検出温度を基にして、温度センサ２３の計測温度が操作盤３０で入力された給湯温度となるように、混合弁１９の湯と水の混合比を調整する。
制御手段１３は、例えば、マイクロコンピュータによって構成することができる。
【００２４】
給湯管１５には、図１に示すように、浴槽３２に湯を送る湯張り管３３が接続され、湯張り管３３には給水管１４が接続された混合弁３４が設けられている。混合弁３４は、図２に示すように、制御手段１３に接続され、制御手段１３は、使用者が操作盤３０に入力した湯張り温度の湯が浴槽３２に供給されるように、貯湯タンク１１からの湯と水道水の混合弁３４による混合比を調整する。
【００２５】
湯張り管３３には、混合弁３４の上流側に逆流を防止する逆止弁３５が取り付けられ、混合弁３４の下流側に、浴槽３２に湯張りが行われる際に開かれる電磁弁３６、浴槽３２から湯が逆流するのを防止する逆止弁３７、浴槽３２に送られる湯の流量を計測する水量センサ３８及び浴槽３２に供給される湯の温度を計測する温度センサ３９が設けられている。
電磁弁３６、水量センサ３８及び温度センサ３９は、図２に示すように、制御手段１３に接続され、制御手段１３は、電磁弁３６に開閉動作を行うための指令信号を送信でき、水量センサ３８の計測値及び温度センサ３９の計測温度を取得することが可能である。
【００２６】
貯湯タンク１１には、図１に示すように、貯湯タンク１１内の湯で浴槽３２を追焚きする追焚き回路４０が接続されている。追焚き回路４０には、貯湯タンク１１の上部から送り出された湯で浴槽３２内の湯を加熱するふろ熱交換器４１と、追焚き回路４０に貯湯タンク１１の湯を循環させる循環ポンプ４２と、追焚き回路４０内の湯水の自然対流を防止する対流防止弁４３が設けられている。循環ポンプ４２は、図２に示すように、制御手段１３に接続され、制御手段１３から送られる指令信号によって作動を開始する。
【００２７】
浴槽３２には、ふろ熱交換器４１に連結された浴槽回路４４が接続され、浴槽回路４４には、図１、図２に示すように、制御手段１３に接続された循環ポンプ４５が設けられている。浴槽３２内の湯は、循環ポンプ４５の作動により、浴槽回路４４を循環し、ふろ熱交換器４１を通過して加熱された後に浴槽３２に戻る。
浴槽回路４４には、循環ポンプ４５の他、浴槽３２内の湯の水位を計測する水位センサ４６、浴槽回路４４に湯が循環したのを検出する水流スイッチ４７及び浴槽回路４４を循環する湯の温度を計測する温度センサ４８が設けられている。水位センサ４６、水流スイッチ４７及び温度センサ４８は、図２に示すように、制御手段１３に接続され、制御手段１３は、水位センサ４６及び温度センサ４８の各計測値を検知でき、水流スイッチ４７から得る信号によって浴槽回路４４に湯が循環しているか否かを検出する。
【００２８】
また、貯湯タンク１１には、図１に示すように、循環回路４９を介して電気式加熱装置１２が接続され、循環回路４９は、電気式加熱装置１２を経由して貯湯タンク１１の下部と上部を接続するように配管されている。
循環回路４９には、図１、図２に示すように、制御手段１３に接続された循環ポンプ５０が取り付けられ、循環ポンプ５０は、制御手段１３からの指令信号によって作動を開始して、貯湯タンク１１の下部から水を取り出しその水を電気式加熱装置１２に送る。
【００２９】
本実施の形態では、電気式加熱装置１２にヒートポンプが採用され、電気式加熱装置１２は熱媒が循環する熱媒循環回路５１を備えている。熱媒循環回路５１には、循環回路４９に連結された熱交換器５２、熱交換器５２を通過した超臨界流体状の熱媒の圧力を下げる膨張弁５３、膨張弁５３から送られる熱媒を気化する蒸発器５４及び気体となった熱媒の圧力を上げる圧縮機５５が設けられている。
【００３０】
熱媒循環回路５１を循環する熱媒は、熱交換器５２を通過する際に、貯湯タンク１１の下部から循環回路４９に沿って熱交換器５２に送られた水を加熱する。
電気式加熱装置１２は、制御手段１３に接続され、循環回路４９に取り付けられた温度センサ５６、５７と蒸発器５４による熱媒の蒸発を促進するプロペラファン５８を備えている。温度センサ５６は、熱交換器５２の上流側で循環回路４９を循環する湯水の温度を計測し、温度センサ５７は、熱交換器５２の下流側で循環回路４９を循環する湯水の温度を計測する。
【００３１】
制御手段１３は、温度センサ５６、５７、膨張弁５３、圧縮機５５、プロペラファン５８に接続され、温度センサ５６、５７の計測温度を検出可能で、指令信号を送って膨張弁５３、圧縮機５５及びプロペラファン５８をそれぞれ制御する。
制御手段１３は、温度センサ５６、５７それぞれの計測温度を基に膨張弁５３の開度調整や循環ポンプ５０の回転数の調整等を行って、貯湯タンク１１下部から取り出され循環回路４９に送られた水が熱交換器５２を通過した際に昇温され滅菌温度以上の湯となるようにする。本実施の形態では、滅菌温度は６５℃であるが、レジオネラ菌を滅菌可能な温度であれば６５℃に限定されない。
【００３２】
循環回路４９には、図１に示すように、熱交換器５２の下流側に三方弁５９が設けられ、三方弁５９には、熱交換器５２を通過した湯を、貯湯タンク１１の下部に送るバイパス管６０が接続されている。
三方弁５９は、図２に示すように、制御手段１３に接続され、制御手段１３からの指令信号により熱交換器５２を通過した湯の行先を切り替える。
【００３３】
制御手段１３は、温度センサ５７の計測値が所定の温度（Ｔ℃）未満のとき、三方弁５９を切り替えて、熱交換器５２を通過した湯の行先をバイパス管６０を介して貯湯タンク１１の下部にし、温度センサ５７の計測値がＴ℃以上のとき、三方弁５９を切り替えて、熱交換機５２を通過した湯の送り先を貯湯タンク１１の上部にする。
このように三方弁５９の湯の送り先を切り替えるのは、貯湯タンク１１の上部に低温の湯が流入し、貯湯タンク１１の上部に溜まっている高温の湯が撹拌されるのを防止するためである。本実施の形態では、Ｔ℃は滅菌温度であり、貯湯タンク１１の上部には、滅菌温度以上の湯が供給されるようになる。
【００３４】
貯湯タンク１１に対しては、図１に示すように、貯湯タンク１１の下部から給水管１４経由で水道水が給水され、循環回路４９を流れる水は、熱交換器５２を通過後に所定の温度未満の際に貯湯タンク１１の下部に送られ、熱交換器５２を通過後に所定温度以上となった際に貯湯タンク１１の上部に送られる。
従って、貯湯タンク１１内には、貯湯タンク１１の上部から下に向かって高温の湯（本実施の形態では５０℃以上８５℃未満）が成層されることになる。
【００３５】
なお、貯湯タンク１１内の上部から成層される高温の湯の温度が滅菌温度以下にもなり得るのは、沸き上げによって滅菌温度以上となった高温層の湯が放熱によって温度低下するためである。
また、貯湯タンク１１、制御手段１３、追焚き回路４０、湯張り管３３等は、筺体６１内に収容され、電気式加熱装置１２及び操作盤３０は筺体６１外に配置されている。
【００３６】
貯湯タンク１１内の湯水は、電気料金が安価となる夜間時間帯（本実施の形態では、午後１１時から翌朝７時まで）に計画的な沸き上げが行われ、夜間時間帯以外の時間帯は、貯湯タンク１１内の湯が所定量以下になった際に沸き上げが行われる。
制御手段１３は、夜間時間帯の沸き上げを行うにあたり、沸き上げモードとして貯湯タンンク１２内の湯水全体を所定温度以上にする全量沸き上げ又は貯湯タンク１１内の湯水を一部を残して所定温度以上にする部分沸き上げを選択する。
【００３７】
制御手段１３は、過去の貯湯タンク１１の出湯実績から一日に必要な湯の熱量を算出して、あるいは、操作盤３０でなされた入力操作に従って沸き上げモードを選択する。
一日に必要な湯量を基に沸き上げモードを選択する場合、制御手段１３は、算出した一日に必要な湯の熱量が所定値未満である際に部分沸き上げを選択して夜間時間帯における貯湯タンク１１の沸き上げに消費される電力の抑制を図る。部分沸き上げにより貯湯タンク１１内に成層される高温の湯の量は、制御手段１３により算出された一日に必要な湯の熱量に応じて決定される。
そして、制御手段１３は、算出した一日に必要な湯の熱量が所定値以上の際に全量沸き上げを選択する。
【００３８】
貯湯タンク１１の出湯実績は、貯湯タンク１１から給湯管１５経由で台所等に湯が供給されたときの給湯負荷と、浴槽３２に湯張りをしたときの湯張り負荷と、浴槽３２の追焚きを行ったときの追焚き負荷の合算から導出される。
給湯負荷は、温度センサ２３の計測温から温度センサ１６の計測温を差し引いた温度値に水量センサ２２で計測された流量を乗じた値の積算値であり、湯張り負荷は、温度センサ３９の計測温から温度センサ１６の計測温を差し引いた温度値に水量センサ３８の計測値を乗じた値の積算値である。
【００３９】
追焚き負荷の算出は、制御手段１３が、温度センサ２４、４８それぞれの計測温から、追焚き回路４０を循環する湯のふろ熱交換器４１通過後の温度を推定し、循環ポンプ４２の作動時間から追焚き回路４０を循環する湯の流量を導出した上で行われる。制御手段１３は、温度センサ２４の計測温度から追焚き回路４０のふろ熱交換器４１通過後の湯の推定温度を引いた差分に、追焚き回路４０を循環する湯の流量を乗じた値の積算値を追焚き負荷とする。
【００４０】
使用者は、次の日に使用する湯量が少ないと判断したとき、操作盤３０への入力操作により部分沸き上げの選択と部分沸き上げにより貯湯タンク１１内に確保する高温の湯の量の決定を行うことが可能である。
制御手段１３は、使用者の決定を優先して沸き上げモードの選択を行うので、使用者が操作盤３０からの入力操作により部分沸き上げを選択した際、制御手段１３は、過去の貯湯タンク１１の出湯実績に関わらず、部分沸き上げを選択する。
【００４１】
また、使用者は、外泊等により数日間湯を使う予定がないときに、省エネの観点から貯湯式給湯機１０を湯水の沸き上げを行わない状態にすることができる。
制御手段１３は時計機能を備え、使用者が操作盤３０から沸き上げを停止する日数としてＸ日を入力すると、制御手段１３は沸き上げの停止を入力した日からＸ日間沸き上げを行わない。このため、夜間時間帯の沸き上げは、沸き上げの停止を入力した日からＸ回連続して行われないことになる。
なお、使用者が予定より早く自宅に戻った場合には、操作盤３０からの操作によって沸き上げを停止している状態を解除することが可能である。
【００４２】
制御手段１３は、沸き上げの停止が予め定められたＮ日以上続いた際、即ちＸがＮ以上で実際にＮ日以上沸き上げが行われなかったとき、沸き上げ停止後、最初に行う夜間時間帯の沸き上げを、沸き上げモードの選択に関わらず、全量沸き上げによって行う。
これは、Ｎ日以上沸き上げを行っていない状態で部分沸き上げを行うと、貯湯タンク１１内で沸き上げられていない湯水が存在することになり、沸き上げられていない湯水に細菌繁殖の可能性があるためである。そのため、制御手段１３は、沸き上げの停止がＮ日以上続いた際、沸き上げ停止後最初の夜間時間帯に、電気式加熱装置１２に貯湯タンク１１内の湯水全体の沸き上げを行わせ、貯湯タンク１１内の湯全体が滅菌温度以上の温度になるようにする。
【００４３】
実験的検証では、沸き上げの停止が１２日間未満であれば細菌の繁殖の可能性が認められず、１２日間を超えると細菌の繁殖の可能性が出ることが確認された。
本実施の形態では、Ｎ日が３〜１０日の範囲である。Ｎ日を１２日とせず、１２日より短期間にあたる３〜１０日の範囲としているのは衛生面を重視し、細菌の繁殖を確実に防ぐためである。
【００４４】
制御手段１３は、図３に示すように、夜間時間帯の沸き上げを行うにあたり、沸き上げの停止がＮ日以上であったか否かを判定し（ステップＳ１）、沸き上げの停止がＮ日以上であった場合は、沸き上げモードの選択に関わらず、夜間時間帯に全量沸き上げを行う（ステップＳ２）。
一方、沸き上げの停止がなされていない場合や停止がＮ日未満であった場合は、沸き上げモードとして部分沸き上げが選択されているか否かを判定する（ステップＳ３）。そして、沸き上げモードに部分沸き上げが選択されていた場合は、夜間時間帯に部分沸き上げを行い（ステップＳ４）、沸き上げモードに部分沸き上げが選択されていない場合、即ち全量沸き上げが選択されている場合は、夜間時間帯に全量沸き上げを行う（ステップＳ５）。
【００４５】
以上、本発明の実施の形態を説明したが、本発明は、上記した形態に限定されるものでなく、要旨を逸脱しない条件の変更等は全て本発明の適用範囲である。
例えば、電気式加熱装置は、電力によって作動する加熱装置であれば、ヒートポンプである必要はなく、例えば電気ヒーターであってもよい。
また、制御手段は、操作盤からの入力操作によって沸き上げモードを選択する機能を備えていなくてもよい。
【符号の説明】
【００４６】
１０：貯湯式給湯機、１１：貯湯タンク、１２：電気式加熱装置、１３：制御手段、１４：給水管、１５：給湯管、１６：温度センサ、１７：減圧弁、１８：逆止弁、１９：混合弁、２０、２１：逆止弁、２２：水量センサ、２３〜２９：温度センサ、３０：操作盤、３２：浴槽、３３：湯張り管、３４：混合弁、３５：逆止弁、３６：電磁弁、３７：逆止弁、３８：水量センサ、３９：温度センサ、４０：追焚き回路、４１：ふろ熱交換器、４２：循環ポンプ、４３：対流防止弁、４４：浴槽回路、４５：循環ポンプ、４６：水位センサ、４７：水流スイッチ、４８：温度センサ、４９：循環回路、５０：循環ポンプ、５１：熱媒循環回路、５２：熱交換器、５３：膨張弁、５４：蒸発器、５５：圧縮機、５６、５７：温度センサ、５８：プロペラファン、５９：三方弁、６０：バイパス管、６１：筺体
【図１】
0005965731.tif 000002
【図２】
0005965731.tif 000003
【図３】
0005965731.tif 000004